(57)【要約】【課題】送風及び空気清浄が安定して行えると共に、送風時の騒音及び負荷を低減することができる空気清浄装置及び空気清浄用の羽根体を提供する。【解決手段】空気清浄装置１を構成する送風部３の羽根体８を回転して、羽根体８の羽根９…に装着した空気清浄フィルター１１により清浄濾過された綺麗な空気を所望する方向に向けて送風するとき、空気清浄フィルター１１を、羽根体８を構成する羽根９の開口部９ａに形成した径方向及び円周方向の支持部９ｄ，９ｄや格子状の支持部９ｅ…、メッシュ状の支持部９ｆ…で支持して、空気清浄フィルター１０に付与される風圧及び応力を支持部９ｄ，９ｅ，９ｆで受け止めると共に、空気清浄フィルター１１の略送風面全体を、羽根９の送風面と略一致するフラット状態及び滑らかな曲面状態に維持する。【選択図】　図３
2004085025.tif 000002
【特許請求の範囲】
【請求項１】
羽根体を構成する複数の羽根に装着した空気清浄フィルターにより、該羽根体の回転により送風される空気を清浄する空気清浄装置であって、
上記羽根の送風面に形成した開口部に、該開口部が覆われる大きさに形成した空気清浄フィルターを装着すると共に、
上記羽根の送風面と略一致する状態に上記空気清浄フィルターを支持する支持部を、上記開口部の対向周縁部間に設けた
空気清浄装置。
【請求項２】
複数の羽根を有する羽根体の回転中心部に、該羽根体を回転する駆動部の回転軸が差し込み固定される孔部を設け、
上記羽根の送風面に形成した開口部に、該開口部が覆われる大きさに形成した空気清浄フィルターを装着すると共に、
上記羽根の送風面と略一致する状態に上記空気清浄フィルターを支持する支持部を、上記開口部の対向周縁部間に設けた
空気清浄用の羽根体。
【請求項３】
上記支持部を、上記羽根の送風面と略一致する状態に上記空気清浄フィルターが支持される高さに設けた
請求項１記載の空気清浄装置又は請求項２記載の空気清浄用の羽根体。
【請求項４】
上記支持部を、上記羽根の送風面と略一致する状態に上記空気清浄フィルターが支持される間隔に隔てて複数設けた
請求項１記載の空気清浄装置又は請求項２記載の空気清浄用の羽根体。
【請求項５】
上記支持部を、上記羽根の送風面と略一致する状態に上記空気清浄フィルターが支持される角度に交差して設けた
請求項４記載の空気清浄装置又は空気清浄用の羽根体。
【発明の詳細な説明】
【０００１】
【発明の属する技術分野】
この発明は、例えば煙草の煙や臭い、ペット臭、料理臭、トイレ臭、体臭、接着剤や内装品の臭い、排ガス、花粉、カビ菌、雑菌、ダニの死骸、ペットの毛等の除去及び空気を清浄するときに用いられる空気清浄装置及び空気清浄用の羽根体に関する。
【０００２】
【従来の技術】
従来、上述例の空気清浄装置としては、例えば羽根の送風面に形成した開口部に、シート状の脱臭フィルターを装着したプロペラファン及び扇風機がある。
【０００３】
【特許文献１】
特開２０００−３１４３９３号公報。
【０００４】
【発明が解決しようとする課題】
しかし、上述のプロペラファンは、羽根に装着された脱臭フィルターの後面側を開口しているため、送風時において、脱臭フィルターに対して風圧及び応力が付与されると、脱臭フィルターの送風面が波打ったり、撓んだりしやすく、羽根の送風面に沿って流動しようとする空気が乱れるため、送風時に発生する風切り音が大きくなり、所望する風量が得られない。且つ、羽根及び脱臭フィルターに付与される空気抵抗が大きく、そのプロペラファンを回転する駆動部に対して負荷が付与されるため、故障や破損の原因及び電力の消費量が多くなるという問題点を有している。
【０００５】
この発明は上記問題に鑑み、羽根体の羽根に装着された空気清浄フィルターを、該羽根の送風面と略一致する状態に維持することにより、送風及び空気清浄が安定して行えると共に、送風時の騒音及び負荷を低減することができる空気清浄装置及び空気清浄用の羽根体の提供を目的とする。
【０００６】
【課題を解決するための手段】
この発明は、羽根体を構成する複数の羽根に装着した空気清浄フィルターにより、該羽根体の回転により送風される空気を清浄する空気清浄装置であって、上記羽根の送風面に形成した開口部に、該開口部が覆われる大きさに形成した空気清浄フィルターを装着すると共に、上記羽根の送風面と略一致する状態に上記空気清浄フィルターを支持する支持部を、上記開口部の対向周縁部間に設けた空気清浄装置及び空気清浄用の羽根体であることを特徴とする。
【０００７】
上述の空気清浄フィルターは、例えばトルマリン（電気石）や松鉱石、炭等のイオン発生体が付着する化学繊維又は天然繊維の糸で形成されたシート状の不織布や織物、交絡体で構成するか、イオン発生体が配合された海綿体や多孔質の材料で構成することができる。また、支持部は、例えば空気清浄フィルターを羽根の送風面と略一致する状態に支持するのに適した強度、厚み、幅、長さを有する桟や骨、線条体等で構成することができる。
【０００８】
つまり、複数の羽根を有する羽根体を回転して、空気清浄フィルターにより清浄濾過された綺麗な空気を所望する方向に向けて送風するとき、送風時に付与される風圧により、開口部の支持部に対して空気清浄フィルターが押し付けられ、空気清浄フィルターの送風面が支持部により安定した状態に支持する。且つ、空気清浄フィルターに付与される風圧及び応力を支持部で受け止めて、空気清浄フィルターの略送風面全体を、羽根の送風面と略一致するフラット状態又は滑らかな曲面状態に維持する。
【０００９】
実施の形態として、上記支持部を、上記羽根の送風面と略一致する状態に上記空気清浄フィルターが支持される高さに設けることができる。また、上記支持部を、上記羽根の送風面と略一致する状態に上記空気清浄フィルターが支持される間隔に隔てて複数設けることができる。また、上記支持部を、上記羽根の送風面と略一致する状態に上記空気清浄フィルターが支持される角度（例えば略９０度、略９０度以上、略９０度以下の角度）に交差（例えば格子状やメッシュ状、パンチング加工したものも含む等）して設けることができる。
【００１０】
【作用及び効果】
この発明によれば、羽根体の羽根に装着された空気清浄フィルターを、羽根の開口部に形成した支持部により支持して、空気清浄フィルターに付与される風圧及び応力を支持部により受け止めるので、空気清浄フィルターの略送風面全体を、羽根の送風面と略一致するフラット状態又は滑らかな曲面状態に維持することができ、送風時において、空気清浄フィルターの送風面が波打ったり、撓んだりせず、送風及び空気清浄が安定して行える。且つ、羽根及び空気清浄フィルターの送風面に沿って空気が滑らかに流動するため、送風時に発生する風切り音が小さく、羽根体の駆動部に付与される負荷が軽減され、騒音の低減及び耐久性の向上を図ることができる。
【００１１】
【実施例】
この発明の一実施例を以下図面に基づいて詳述する。
図面は、所望する場所又は範囲の空気を効率よく清浄するときに用いられる扇風機型の空気清浄装置及び空気清浄用の羽根体を示し、図１及び図２に於いて、この空気清浄装置１は、例えば床や地面等の設置場所に対して起立状態に設置される側面から見て略台形状の支持台２と、所望する方向に向けて送風する送風部３とで構成される。
【００１２】
上述の支持台２は、側面から見て略円錐筒状に形成した支持部２ａを、平面から見て略円盤状に形成した接地面積の大きい台座部２ｂの略上面中央部に立設し、支持部２ａに対して所望する高さに上下調節自在に挿入された支柱２ｃを、上下及び左右に対して回動自在な首振り機構２ｄを介して、後述する送風部３の駆動部６下面に連結している。また、首振り機構２ｄを、例えばモータの駆動力や手動力により所望する角度及び方向に回動自在に設けてもよい。
【００１３】
且つ、駆動部６に供給される電流を通電及び遮断し、首振り機構部の首振り動作を駆動及び停止する電源スイッチ２ｅと、送風時間及び清浄時間を設定するタイマースイッチ２ｆと、送風力及び清浄力（駆動部６の回転速度）を強・中・弱に切換える切替えスイッチ２ｇとを、台座部２ｂの前側上面（操作面）に配設している。また、電源（例えば一般家庭用又は工業用のコンセント）に接続されるプラグ付きの電源コード２ｈを、台座部２ｂの後部又は側部に接続している。また、電源コード２ｆが収容されるコード収容部（図示省略）を、台座部２ｂの後部又は側部に設けることもできる。
【００１４】
なお、上述のスイッチ２ｅ〜２ｇは、支持部２に内蔵された例えば電気回路やＩＣ回路等の制御手段により駆動及び停止が制御される。また、スイッチ２ｅ〜２ｇを、例えばダイヤル式スイッチや、静電感知式スイッチ、感圧式スイッチ、鍵盤式スイッチ、レバー式スイッチ、スライド式スイッチ等の何れか一種又は複数種で構成することができる。
【００１５】
加えて、送風部３の送風力（強、中、弱）、送風時間、首振り動作等の全動作を、例えば無線式（赤外線式）のリモート・コントローラー（図示省略）から送信される信号に基づいて制御することもできる。
【００１６】
上述の支持台２に代わる支持手段の他の例として、例えば首振り機構２ｄを介して、三脚式の支持脚を駆動部６に連結するか、その支持脚に対して上下動自在に取り付けられた支持棒を駆動部６に連結する等して、送風部３を所望する高さに上下調節することもできる。
【００１７】
前述の送風部３は、金属製の線条体により正面から見て略丸形状で、側面から見て略椀形状に形成した網状の後面カバー４及び前面カバー５と、上述の支柱２ｃ上端に対して首振り自在に連結した駆動部６と、駆動部６に内蔵されたモータ６ａの回転軸６ｂを後面カバー４の前面側中心部に突出し、その回転軸６ｂに対して着脱自在に取り付けられる羽根体８と、羽根体８の前面側中心部に突出した回転軸６ｂ端部に螺着されるキャップ７とで構成され、後面カバー４を駆動部６前面に取り付け、モータ６ａの回転軸６ｂを羽根体８の回転中心部に挿通し、羽根体８の前面側中心部に突出した回転軸６ｂ先端に、キャップ７を螺着して締付け固定した後、その後面カバー４を前面カバー５に嵌合して、相互の対向周縁部を止め具４ａ…で固定する。
【００１８】
上述の羽根体８は、図３、図４、図５にも示すように、前方に向けて送風される曲面形状及び傾斜角度に形成した羽根９を、軸部１０外周面に対して一体的に形成すると共に、その羽根９を、軸部１０の回転中心を中心として円周方向に対して所定間隔に隔てて複数枚形成（実施例では３枚）している。且つ、駆動部６に内蔵されたモータ６ａの回転軸６ｂが差し込まれる孔部１０ａを、軸部１０の回転中心部に対して軸方向に貫通して形成している。また、軸部１０に取り付けたネジを、回転軸６ｂの外周面に当接して締付け固定するか、回転軸６ｂ及び孔部９ａを互いに合致する多角断面形状に形成して動力伝達してもよい。
【００１９】
且つ、後述する空気清浄フィルター１１と略対応する大きさ及び形状を有する開口部９ａを、羽根９の中央部送風面に形成すると共に、その開口部９ａの送風側内周縁部に形成した段部９ｂを、空気清浄フィルター１１の外周縁部と略同一となる大きさ及び形状で、空気清浄フィルター１１の厚みと略同等又は同等以上の深さに形成している。
【００２０】
且つ、羽根９の送風面と略一致するフラット状態又はその送風面と略対応する曲面状態に空気清浄フィルター１１を支持する支持部９ｄを、開口部９ａの小径側内周縁部から大径側内周縁部に向けて径方向に対して形成すると共に、その支持部９ｄを、円周方向に対して所定間隔に隔てて略平行して複数本形成（実施例では２本）している。
【００２１】
且つ、支持部９ｄ，９ｄを、羽根９の送風面よりも低く、開口部９ａの段部９ｂと略同一となる高さに形成して、羽根９の送風面と略一致する状態に空気清浄フィルター１１を支持すると共に、その支持部９ｄ，９ｄの間を、空気清浄フィルター１１が羽根９の送風面と略一致するフラット状態又はその送風面と略対応する曲面状態に支持される間隔に設定している。また、図６に示すように、支持部９ｄ，９ｄを、略円周方向に対して略平行して形成することもできる。なお、支持部９ｄの本数を、例えば１本又は２本以上に変更することもできる。
【００２２】
上述の空気清浄フィルター１１は、例えばトルマリン（電気石）を粉砕してなるトルマリン微粉末（電気石）又はそのトルマリン微粉末が配合された液体を、合成樹脂製の化学繊維や天然繊維等の素材で撚糸された糸に対して均等に付着すると共に、その糸を互に絡み合わせて、羽根９の開口部９ａ全体が覆われる大きさ及び形状に形成したシート状の不織布である。
【００２３】
また、上述のトルマリン（電気石）の代わりに、例えば松鉱石や炭等のマイナスイオン発生物質を用いてもよい。且つ、空気清浄フィルター１１の他の例として、例えばトルマリン微粉末が付着する糸で編成した織物、多数本の糸を綿状に交絡してなる交絡体等を用いてもよい。
【００２４】
且つ、段部９ｂの内周縁部に形成した孔部９ｃ…に対して差込みが許容される緊縮状態と、引抜き不可に差込み固定される拡張状態とに弾性変位可能な止めピン１１ｃ…を、空気清浄フィルター１１の外周縁部に対して所定間隔に隔てて取り付けている。つまり、空気清浄フィルター１１の止めピン１１ｃ…を開口部９ａの孔部９ｃ…に差込んで、空気清浄フィルター１１を、羽根９の開口部９ａ全体が覆われる状態に固定すると共に、羽根９の送風面と略一致するフラット状態又は滑らかな曲面状態に支持部９ｂ，９ｂで支持する。
【００２５】
また、空気清浄フィルター１１の中央部と、開口部９ａの支持部９ｂ，９ｂとを、上述のような止めピンで固定することもできる。或いは、止めピンの代わりに、例えば面ファスナーや両面粘着テープ等により着脱自在に取り付けるか、例えば接着剤や粘着材、止め金等により一体的に固定することもできる。
【００２６】
図７は、空気清浄装置１の制御回路ブロック図を示し、制御装置１５にはＣＰＵ、ＲＯＭ、ＲＡＭが内蔵され、ＣＰＵは、ＲＯＭ（又はＰＲＯＭ）に格納されたプログラムに沿って、首振り機構２ｄと、電源スイッチ２ｅと、タイマースイッチ２ｆと、切替えスイッチ２ｇと、モータ６ａと、汚れ検知センサー１３と、電源遮断スイッチ１４と、後述するイオン発生装置１６との駆動及び停止を制御する。ＲＡＭには、汚れ検知センサー１３から出力される検知情報と、判定基準となる基準情報とを記憶する。
【００２７】
且つ、送風部３に設けた汚れ検知センサー１３は、電源スイッチ２ｅをＯＮ操作すると、周囲の空気の臭いや汚れ具合、空気中に浮遊する浮遊物の量を検知し、その検知情報を制御装置１５に出力する。また、汚れ検知センサー１３を、例えば支持台２の支持部２ａ又は台座部２ｂ、送風部３の後面カバー４又は前面カバー５に設けてもよい。
【００２８】
且つ、制御装置１５は、汚れ検知センサー１３から出力される検知情報と、予め記憶された比較情報とを比較及び演算して、周囲の空気の臭いや汚れ具合が基準値以下又は基準値以上であるかを判定する。若し、空気が汚れていて基準値以下で判定された場合、駆動部６のモータ６ａを駆動して、羽根体８を所定速度で高速回転させる。一方、空気が綺麗であり基準値以上であると判定された場合、駆動部６のモータ６ａを停止又は駆動せず、駆動可能な待機状態を維持する。
【００２９】
且つ、前面カバー５と後面カバー４との対向縁部に設けた電源遮断スイッチ１４は、後面カバー４の内側周縁部に取り付けたスイッチ本体１４ａと、そのスイッチ本体１４ａの操作部１４ｂと対向して前面カバー５の内側周縁部に取り付けた押圧部１４ｃとで構成され、前面カバー５を後面カバー４から取り外したとき、電源遮断スイッチ１４の操作部１４ｂから押圧部１４ｃが離間し、操作部１４ｂがＯＦＦ位置（突出位置）に復帰し、そのＯＦＦ操作時の信号を制御装置１５に出力する。制御装置１５は、電源遮断スイッチ１４がＯＦＦ操作したときに出力される電気信号に基づいて、モータ６ａ及び汚れ検知センサー１３に対する通電を遮断する。
【００３０】
一方、前面カバー５を後面カバー４に取り付けたとき、電源遮断スイッチ１４の操作部１４ｂが押圧部１４ｃによりＯＮ位置（没入位置）に押し戻され、そのＯＮ操作時の信号を制御装置１５に出力する。制御装置１５は、電源遮断スイッチ１４がＯＮ操作したときに出力される電気信号に基づいて、モータ６ａ及び汚れ検知センサー１３に対して通電する。
【００３１】
図示実施例は上記の如く構成するものにして、以下、空気清浄装置１による送風及び空気の清浄方法を説明する。
【００３２】
先ず、図１に示すように、電源スイッチ２ｅをＯＮ操作して、汚れ検知センサー１３から出力される検知情報に基づいて、空気の臭いや汚れ具合を制御装置１５で判定する。若し、空気中に浮遊する浮遊物の量が多く、空気の臭いや汚れ具合が基準値以下であると判定された場合、送風部３の羽根体８を、駆動部６の駆動力により回転して、例えばホコリや塵埃、煙草の煙、花粉、カビ菌、雑菌、ダニの死骸、ペットの毛等の空気中に浮遊する浮遊物を、羽根体８の羽根９…に装着した空気清浄フィルター１１により分離及び除去しながら、清浄濾過された綺麗な空気を所望する方向に向けて送風する。
【００３３】
且つ、空気清浄フィルター１１のトルマリン微粉末が生成するマイナスイオンを、送風部３の送風動作及び首振り動作により送風方向に向けて放出し、周囲及び人体のプラスイオンを短時間で減少させる。
【００３４】
且つ、送風時に付与される風圧により、羽根９の開口部９ａに形成した支持部９ｄ，９ｄに対して空気清浄フィルター１１が押し付けられ、空気清浄フィルター１１の中央部送風面が支持部９ｄ，９ｄにより安定した状態に支持される。且つ、空気清浄フィルター１０に付与される風圧及び応力を支持部９ｄ，９ｄで受け止めて、空気清浄フィルター１１の略送風面全体を、羽根９の送風面と略一致するフラット状態及び滑らかな曲面状態に維持する。
【００３５】
一方、周囲の空気中に浮遊する浮遊物の量が少なく、空気の汚れ具合が基準値以上であると判定された場合、駆動部６に対する通電を遮断又は休止し、送風部３の送風動作及び清浄濾過を停止する。
【００３６】
以上のように、羽根体８の羽根９…に装着された空気清浄フィルター１１を、羽根９の開口部９ａに形成した支持部９ｄ，９ｄにより支持して、空気清浄フィルター１１に付与される風圧及び応力を支持部９ｄ，９ｄにより受け止めるので、空気清浄フィルター１１の略送風面全体を、羽根９の送風面と略一致するフラット状態及び滑らかな曲面状態に維持することができ、送風時において、空気清浄フィルター１１の送風面が波打ったり、撓んだりせず、送風及び空気清浄が安定して行える。且つ、羽根９及び空気清浄フィルター１１の送風面に沿って空気が滑らかに流動するため、送風時に発生する風切り音が小さく、駆動部６に付与される負荷が軽減され、騒音の低減及び耐久性の向上を図ることができる。
【００３７】
図８は、空気清浄フィルター１０を、羽根９の開口部９ａに形成した格子状の支持部９ｅ…で支持する羽根体８のその他の例を示し、空気清浄フィルター１１を、羽根体８を構成する羽根９の送風面と略一致するフラット状態又はその送風面と略対応する曲面状態に格子状の支持部９ｅ…で維持すると共に、空気清浄フィルター１０の送風面に付与される風圧及び応力を支持部９ｆ…で受け止めるので、上述のような径方向又は円周方向の支持部９ｄで支持するよりも、空気清浄フィルター１０の送風面が波打ったり、撓んだりしにくく、上述の実施例と略同等又は同等以上の作用及び効果を奏することができる。
【００３８】
図９は、空気清浄フィルター１０を、羽根９の開口部９ａに形成したメッシュ状の支持部９ｆ…で支持する羽根体８のその他の例を示し、空気清浄フィルター１１を、羽根体８を構成する羽根９の送風面と略一致するフラット状態又はその送風面と略対応する曲面状態にメッシュ状の支持部９ｆ…で維持すると共に、空気清浄フィルター１０の送風面に付与される風圧及び応力を支持部９ｆ…で受け止めるので、上述のような格子状の支持部９ｆ…で支持するよりも、単位面積当たりに生じる応力を小さくなり、空気清浄フィルター１０の肉厚を薄くしても、送風面が波打ったり、撓んだりせず、前述の実施例と略同等又は同等以上の作用及び効果を奏することができる。
【００３９】
実施例では、上述の支持部９ｅ，９ｆを、略直交する角度（略９０度）に交差しているが、例えば略９０度以上の角度（鈍角）又は略９０度以下の角度（鋭角）の交差角度を変更することもできる。
【００４０】
なお、上述の空気清浄装置１及び羽根体８の構成は、例えば大型の送風機や業務用ファン、業務用扇風機、家庭用扇風機等の羽根体を回転して送風する送風装置にも適用することができる。また、上述の送風部３を、例えば壁部や柱部、天井部等の固定部（図示省略）に対して直接固定することもできる。
【図面の簡単な説明】
【図１】空気清浄装置の概略構造を示す側面図。
【図２】羽根体及び前面カバーを取り外した状態を示す送風部の側面図。
【図３】空気清浄フィルターの取り付け方法を示す羽根体の斜視図。
【図４】空気清浄フィルターの取り付け状態を示す羽根体の正面図。
【図５】空気清浄フィルターの取り付け状態を示す羽根の断面図。
【図６】支持部を略円周方向に形成した羽根体の他の例を示す拡大正面図。
【図７】空気清浄装置の制御回路ブロック図。
【図８】格子状の支持部で支持する羽根体のその他の例を示す拡大正面図。
【図９】ネット状の支持部で支持する羽根体のその他の例を示す拡大正面図。
【符号の説明】
１…空気清浄装置
２…支持台
３…送風部
４…後面カバー
５…前面カバー
６…駆動部
８…羽根体
９…羽根
９ａ…開口部
９ｄ，９ｅ，９ｆ…支持部
１１…空気清浄フィルター
【図１】
2004085025.tif 000003
【図２】
2004085025.tif 000004
【図３】
2004085025.tif 000005
【図４】
2004085025.tif 000006
【図５】
2004085025.tif 000007
【図６】
2004085025.tif 000008
【図７】
2004085025.tif 000009
【図８】
2004085025.tif 000010
【図９】
2004085025.tif 000011